(57)【要約】【課題】衣類の内側の洗浄力を向上し、衣類全体の洗浄性能を向上させる。【解決手段】衣類収容部１ａ内に衣類を支持するハンガー９と、ハンガー９で支持された衣類に洗濯水を噴射するノズル１０、２０と、ノズル１０、２０に洗濯水を供給するポンプ１２と、ノズル１０、２０とポンプ１２とを連通接続する洗濯水経路１８、２１と、ポンプ１２を制御する制御装置１７とを備え、ノズル１０、２０は、衣類の内側と外側から洗濯水を噴射するように配設したものである。【選択図】図４
2014054404.tif 000002
【特許請求の範囲】
【請求項１】
衣類を収容する衣類収容部を設けた本体と、
前記衣類収容部内に衣類を支持するハンガーと、
前記ハンガーで支持された衣類に洗濯水を噴射するノズルと、
前記ノズルに洗濯水を供給するポンプと、
前記ノズルと前記ポンプとを連通接続する洗濯水経路と、
前記ポンプを制御する制御装置とを備え、
前記ノズルは、衣類の内側と外側から洗濯水を噴射するように配設した
洗濯機。
【請求項２】
衣類の外側から洗濯水を噴射する第１のノズルを衣類収容部の壁面に設け、
衣類の内側から洗濯水を噴射する第２のノズルを前記衣類収容部内に立設した衣類内洗浄ポールに設け、
ハンガーにより支持された衣類で前記第２のノズルを包囲し、前記第２のノズルから衣類の内側に洗濯水を噴射するようにした
請求項１記載の洗濯機。
【請求項３】
衣類内洗浄ポールに衣類の袖部を被せる袖洗浄部を設け、
前記袖洗浄部に設けた第２のノズルから衣類の袖部の内側に洗濯水を噴射するようにした
請求項２記載の洗濯機。
【請求項４】
ハンガーは、衣類内洗浄ポールの上部に固着または脱着可能に設けた
請求項２または３記載の洗濯機。
【請求項５】
衣類の外側から洗濯水を噴射する第１のノズルを衣類収容部の壁面に設け、
衣類の内側から洗濯水を噴射する第２のノズルを前記衣類収容部内に衣類を吊り下げるハンガーに設け、
前記第２のノズルから衣類の内側に洗濯水を噴射するようにした
請求項１記載の洗濯機。
【請求項６】
ハンガーは、衣類を支持する型枠と、
洗濯水経路と連通接続するハンガー経路と、
前記ハンガー経路に設けた第２のノズルを有し、
前記第２のノズルから前記型枠で支持した衣類の内側に洗濯水を噴射するようにした
請求項１〜５のいずれか１項に記載の洗濯機。
【請求項７】
ハンガーは、洗濯水経路に対してハンガー経路を着脱自在に接続するようにした
請求項５または６記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、衣類等の洗濯物を吊り下げた状態で固定し、洗浄液を移動させながら洗濯物に噴射するものが考えられている（例えば、特許文献１参照）。
【０００３】
図１１は、特許文献１に記載された従来の洗濯システムを示すものである。図１１に示すように、衣類等の洗濯物５１をハンガー５２に吊り下げて本体５３内に収容する。洗浄水を圧送するポンプ５４によって複数のノズル５５から洗濯物５１に洗浄液を噴射し、洗浄するようにしたものである。
【先行技術文献】
【特許文献】
【０００４】
【特許文献１】特開２００３−３３５９７号公報
【発明の概要】
【発明が解決しようとする課題】
【０００５】
しかしながら、前記従来の構成では、厚めの衣類の内側に固形物の汚れが付着している場合に落としきれない場合があった。また、衣類の外側からのみ洗浄液を噴射する構成であるため、衣類が厚くなると内側まで洗浄水の勢いが届かないため、衣類の内側で洗浄力が低下し、内側の汚れを除去することが難しいという課題があった。
【０００６】
本発明は、前記従来の課題を解決するもので、衣類の内側の洗浄力を向上し、衣類全体の洗浄性能を向上させることが可能な洗濯機を提供することを目的とする。
【課題を解決するための手段】
【０００７】
前記従来の課題を解決するために、本発明の洗濯機は、衣類収容部内に衣類を支持するハンガーと、前記ハンガーで支持された衣類に洗濯水を噴射するノズルと、前記ノズルに洗濯水を供給するポンプと、前記ノズルと前記ポンプとを連通接続する洗濯水経路と、前記ポンプを制御する制御装置とを備え、前記ノズルは、衣類の内側と外側から洗濯水を噴射するように配設したものである。
【０００８】
これによって、衣類の内側と外側の汚れを確実に洗浄することができ、衣類全体の洗浄性能を向上させた洗濯機を提供することが可能となる。
【発明の効果】
【０００９】
本発明の洗濯機は、衣類の内側と外側の汚れを洗浄することができ、衣類全体の洗浄性能を向上させることができる。
【図面の簡単な説明】
【００１０】
【図１】本発明の実施の形態１における洗濯機の外観図
【図２】同洗濯機の扉を開いた状態の外観図
【図３】同洗濯機の要部断面図
【図４】同洗濯機の要部断面図
【図５】本発明の実施の形態２における洗濯機の要部断面図
【図６】本発明の実施の形態３における洗濯機の要部断面図
【図７】同洗濯機の他の例の要部断面図
【図８】本発明の実施の形態４における洗濯機のハンガーの要部断面図
【図９】同洗濯機のハンガーの外観図
【図１０】（ａ）（ｂ）同洗濯機のハンガーの一部切欠要部断面図
【図１１】従来の洗濯システムの構成図
【発明を実施するための形態】
【００１１】
第１の発明は、衣類を収容する衣類収容部を設けた本体と、前記衣類収容部内に衣類を支持するハンガーと、前記ハンガーで支持された衣類に洗濯水を噴射するノズルと、前記ノズルに洗濯水を供給するポンプと、前記ノズルと前記ポンプとを連通接続する洗濯水経路と、前記ポンプを制御する制御装置とを備え、前記ノズルは、衣類の内側と外側から洗濯水を噴射するように配設したことにより、衣類の内側と外側の汚れを確実に洗い落とすことができ、衣類全体の洗浄性能を向上させることができる。
【００１２】
第２の発明は、特に、第１の発明において、衣類の外側から洗濯水を噴射する第１のノズルを衣類収容部の壁面に設け、衣類の内側から洗濯水を噴射する第２のノズルを前記衣類収容部内に立設した衣類内洗浄ポールに設け、ハンガーにより支持された衣類で前記第２のノズルを包囲し、前記第２のノズルから衣類の内側に洗濯水を噴射するようにしたことにより、衣類の内側と外側から洗濯水を噴射することができ、衣類全体をくまなく洗浄することができる。
【００１３】
第３の発明は、特に、第２の発明において、衣類内洗浄ポールに衣類の袖部を被せる袖洗浄部を設け、前記袖洗浄部に設けた第２のノズルから衣類の袖部の内側に洗濯水を噴射するようにしたことにより、衣類の袖部に対して内側から洗濯水を噴射することができ、袖部の洗浄効果を高めることができる。
【００１４】
第４の発明は、特に、第２または第３の発明のハンガーは、衣類内洗浄ポールの上部に固着または脱着可能に設けたことにより、洗濯対象である衣類を所定の位置に容易にセットすることができ、使い勝手をよくすることができる。
【００１５】
第５の発明は、特に、第１の発明において、衣類の外側から洗濯水を噴射する第１のノズルを衣類収容部の壁面に設け、衣類の内側から洗濯水を噴射する第２のノズルを前記衣類収容部内に衣類を吊り下げるハンガーに設け、前記第２のノズルから衣類の内側に洗濯水を噴射するようにしたことにより、衣類を吊り下げる位置が変わった場合でも、常に衣類の内側から洗濯水を噴射して洗浄することが可能となるため、洗浄力が低下することなく、常に良好な洗浄効果を発揮することができる。
【００１６】
第６の発明は、特に、第１〜第５のいずれか１つの発明のハンガーは、衣類を支持する型枠と、洗濯水経路と連通接続するハンガー経路と、前記ハンガー経路に設けた第２のノズルを有し、前記第２のノズルから前記型枠で支持した衣類の内側に洗濯水を噴射するようにしたことにより、衣類を型枠で支持することができるようになり、衣類に生じるしわなどによって重なりが生じるのを防止することができ、洗浄能力を向上させることができる。
【００１７】
第７の発明は、特に、第５または第６の発明のハンガーは、洗濯水経路に対してハンガー経路を着脱自在に接続するようにしたことにより、ハンガーに対して衣類を脱着する際の操作を容易に行うことができ、高い洗浄能力と良好な使い勝手を両立させた洗濯機を実現することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における洗濯機の外観図、図２は、同洗濯機の扉を開いた状態の外観図、図３および図４は、同洗濯機の要部断面図である。
【００２０】
図１〜図４において、本発明の第１の実施の形態にかかる洗濯機は、本体１内の上部の大部分に形成した衣類収容部１ａと、本体１内の衣類収容部１ａの下方に形成した機械室１ｂを有している。衣類収容部１ａは、前面が開放可能な扉２を有し、扉２は、本体１に取着したヒンジ３によって開閉自在に支持している。
【００２１】
扉２は、左端の上下部にヒンジ３を設け、扉２の右端近傍の前面部に、開閉用の取っ手４を設けて左開きするようにしている。扉２の前面部には、運転用の操作部と運転モードや運転状況等を表示する操作表示装置５を設けている。機械室１ｂは、前面に開閉自在な機械扉６を有し、機械扉６の下部を支点に手前側へ回動させて、下方に開くように取り付けられている。
【００２２】
図２は、衣類収容部１ａの扉２を開いた状態を示している。扉２の内側の本体１と接する部分には、扉２の周縁部に沿って防水パッキン７が設けられている。一方、本体１内の扉２と対向する位置に、開閉スイッチ（図示せず）が設けられている。開閉スイッチの操作部１ｃは本体１の前面部に突出し、扉２が閉じられたときに扉２により押圧されてオン状態になり、扉２が開かれると押圧が解除されてオフ状態になるように構成されている。
【００２３】
本体１の衣類収容部１ａ内には、衣類収容部１ａの左右の壁面にハンガーポール８の両端部を固定している。ハンガーポール８は、衣類収容部１ａの前後方向の略中央部に取り付けられており、衣類Ａが掛かったハンガー９をかけるように構成されている。
【００２４】
ハンガーポール８は、ハンガーポール用モータ（図示せず）によって上下振動可能に設けられている。衣類収容部１ａの複数の内面には、衣類Ａの外側から洗濯水を噴射する複数の第１のノズル（ノズル）１０が設けられている。
【００２５】
衣類収容部１ａの底部には水溜め部１１が設けられている。水溜め部１１は、後部から扉２が設けられている前部に向けて、底面１１ａを前下がりに傾斜させて構成しており、扉２を開いた状態で前部から流出しないように一定程度の水量が溜められるようになっている。
【００２６】
本体１内の機械室１ｂ内には、洗濯水を循環させるためのポンプ１２と、ポンプ１２と水溜め部１１とを連通接続させる循環経路１３と、循環経路１３中に着脱自在に設けたフィルタ１４と、フィルタ１４とポンプ１２との間の循環経路１３に設けた排水弁１５と、排水弁１５と機外とを連通接続する排水経路１６と、ポンプ１２と排水弁１５を制御する制御装置１７を設けている。
【００２７】
排水弁１５は、循環経路１３およびポンプ１２と同じか、それより下方に設けられている。また、ポンプ１２と複数の各ノズル１０とを連通接続する洗濯水経路１８が設けられている。外部水栓Ｃと本体１はホースＤで接続されており、ホースＤを通って流入した水は、本体１内の給水弁（図示せず）を介して衣類収容部１ａ内の水溜め部１１に供給されるように構成されている。
【００２８】
衣類収容部１ａ内の略中央部には、衣類収容部１ａの底部に取り付けた衣類内洗浄ポール１９が上方に向けて立設されている。衣類内洗浄ポール１９は、衣類Ａで包囲されるように、衣類Ａの掛かったハンガー９をハンガーポール８に掛けて、衣類Ａの内部に配置される。
【００２９】
衣類内洗浄ポール１９には、衣類の内側から洗濯水を噴射する複数の第２のノズル（ノズル）２０が上下方向と周方向に複数設けられ、第２のノズル２０とポンプ１２は、筒状に形成した衣類内洗浄ポール１９と洗濯水経路２１を介して連通接続されている。衣類内洗浄ポール１９は、下方に配設したモータ２２により回転可能に設置されている。衣類内洗浄ポール１９は、衣類収容部１ａに３つ設けられている。
【００３０】
以上のように構成された洗濯機について、以下その動作、作用を説明する。衣類の洗濯プログラムの実行による動作の詳細を以下に説明する。洗濯の手順の概要を示す。洗濯は洗い工程、すすぎ工程、脱水工程からなる。洗い工程での手順を示す。まず、使用者は扉２を開けて、洗濯する衣類Ａをハンガー９に掛け、衣類収容部１ａ内のハンガーポール８に吊り下げる。このとき、衣類Ａは、衣類内洗浄ポール１９が衣類Ａの内側に位置するように衣類Ａをセットする。
【００３１】
次に、洗剤等を水溜め部１１に供給して扉２を閉じると、開閉スイッチ（図示せず）の操作部１ｃを押圧してオンされ、制御装置１７は扉２が閉じられたことを検知する。使用者は操作表示装置５を操作して、洗濯を行う衣類の種類別や、汚れ度合別に設けられたコースの中から最適なものを選択し、洗濯を開始する。
【００３２】
洗い工程が始まると、制御装置１７は、給水弁（図示せず）を開いて水を水溜め部１１に供給し、水と洗剤が混合される。供給された水は、水溜め部１１から循環経路１３に流入し、フィルタ１４および排水弁１５を介してポンプ１２まで流入する。このとき制御装置１７は、排水弁１５を閉じてポンプ１２を駆動し、洗濯水を矢印方向に循環させる。
【００３３】
制御装置１７はポンプ１２を駆動させると、洗濯水は、洗濯水経路１８を矢印イ方向へ流れ、複数の第１のノズル１０より衣類Ａの外側から勢いよく衣類Ａに吹き付けられる。また、洗濯水は、洗濯水経路２１を矢印ロ方向へ流れ、衣類内洗浄ポール１９に設けた複数の第２のノズル２０より衣類Ａの内側から勢いよく衣類Ａに吹き付けられる。洗濯水は勢いよく衣類Ａに吹き付けられることで、噴射の勢いにより泥汚れなどの固形物汚れを落とすことができる。
【００３４】
一方で、洗濯水に含まれる洗剤成分が、衣類Ａの油汚れなどを浮き上がらせて汚れを落とす。水溶性の汚れは、洗濯水が当たることによってその汚れが水に溶け出すので、洗い落とすことが可能になる。
【００３５】
制御装置１７は、予め設定された所定時間、洗濯水を循環させ、上記のように各種の汚れを衣類Ａから除去する。その後、制御装置１７はポンプ１２を停止し、排水弁１５を開放させて、水溜め部１１や循環経路１３に溜まった洗濯水を機外へ排出し、洗い工程を終了する。
【００３６】
ノズルから衣類に洗濯水を吹き付けると、衣類は吹き付けられた方向にたなびきながら移動し、衣類に当たる洗濯水の噴射の勢いが低減されてしまい、汚れを落とす力が低下してしまう。また、衣類がたなびいて移動し、衣類が幾重にも重なってしまうと、重なった部分は非常に洗いにくくなってしまい、洗浄力が低下してしまう。
【００３７】
しかし、本実施の形態では、衣類Ａの内外から同時に洗濯水を噴射することで、衣類Ａが一方向にたなびいて移動することが少なく、衣類Ａが幾重にも重なってしまうことも少なく、洗濯水が衣類Ａ全体に満遍なく当たりやすい。
【００３８】
衣類Ａに内側から洗濯水を噴射することで、衣類Ａは外側に膨らむような力を受ける。ただし、ある程度衣類Ａが広がると、濡れた衣類Ａの自重によって縮む方向に力が働き、両方の力が均衡したところで衣類Ａの伸びは止まる。これにより、衣類がほとんど動かない状態で洗濯水を吹き付けることができるので、洗濯水の噴射力が低減してしまうことなく洗浄することが可能になる。
【００３９】
洗い工程が終了すると、すすぎ工程に移る。制御装置１７は給水弁を開放するとともに排水弁１５を閉じ、水を水溜め部１１に溜める。所定の時間が経過すると、制御装置１７は給水弁を閉じ、ポンプ１２を駆動する。
【００４０】
洗い工程の終了とともに汚れと洗剤の混ざった洗濯水が排水されているので、汚れの含まない水を衣類Ａに噴射することになり、衣類Ａに残った汚れや洗剤などを洗い落とす。ポンプ１２を駆動させて所定時間経過すると、制御装置１７はポンプ１２を停止させて、排水弁１５を開放して排水する。以上の給水から排水までのプロセスを複数回行ってすすぎ工程を終了する。
【００４１】
すすぎ工程が終了すると、脱水工程に移る。制御装置１７は排水弁１５を開き、ハンガーポール用モータ（図示せず）を動作させ、ハンガーポール８を上下振動させる。ハンガーポール８の上下振動により衣類Ａから水が落下していく。所定時間ハンガーポール用モータを動作させた後、制御装置１７はハンガーポール用モータの動作を停止し、脱水工程を終了する。脱水工程が終了すると、制御装置１７は操作表示装置５に取り付けられたスピーカーから運転終了を知らせるメロディを流して報知する。
【００４２】
なお、洗濯をしていない場合には、制御装置１７が開閉スイッチ（図示せず）がオフの状態、つまり、扉２が開かれた状態では、運転を開始しない。一方、洗濯中は、制御装置１７が開閉スイッチ（図示せず）がオフの状態になると、ポンプ１２やモータ２２、ハンガーポール用モータ（図示せず）の動作を停止し、給水弁（図示せず）と排水弁１５は閉じる。
【００４３】
以上のように、本実施の形態においては、衣類を収容する衣類収容部１ａを設けた本体１と、衣類収容部１ａ内に衣類を支持するハンガー９と、ハンガー９で支持された衣類に洗濯水を噴射するノズル１０、２０と、ノズル１０、２０に洗濯水を供給するポンプ１２と、ノズル１０、２０とポンプ１２とを連通接続する洗濯水経路１８、２１と、ポンプ１２を制御する制御装置１７とを備え、ノズル１０、２０は、衣類の内側と外側から洗濯水を噴射するように配設したものであり、衣類Ａが洗濯水の噴射による圧力により一方向にたなびいて移動して洗浄力が低下したり、衣類Ａが移動することで幾重にも重なってしまい、局所的に洗濯水が当たりにくくなってしまうことを防ぎ、衣類Ａをハンガー９に掛けた状態で洗浄した場合でも、衣類Ａの内側と外側の汚れを確実に洗い落とすことができ、衣類全体の洗浄性能を向上させることができる。
【００４４】
なお、衣類内洗浄ポール１９は、高い部分にまで伸びるように伸縮可能に構成することができ、また、衣類Ａを掛けるハンガー９をマネキンのような人体形状にして、衣類Ａのごく近くに衣類Ａの形状に沿ってノズル２０を設けることができるようにするなど、衣類Ａの内側に洗濯水を噴射することができる形状であればよい。
【００４５】
また、衣類内洗浄ポール１９は、衣類収容部１ａの底面に立てて設けられているが、衣類収容部１ａの天井面から下方に向けて延びるように設けられてもよく、奥面や側面に設けてもよい。
【００４６】
（実施の形態２）
図５は、本発明の第２の実施の形態における洗濯機の要部断面図である。本実施の形態の特徴は、衣類内洗浄ポール１９に衣類Ａの袖部ａを被せる袖洗浄部１９ａを設けたものである。他の構成は実施の形態１と同じであり、同一の構成に同一の符号を付して、詳細な説明は実施の形態１のものを援用する。
【００４７】
衣類内洗浄ポール１９の下部で一対の袖洗浄部１９ａを分岐し、衣類内洗浄ポール１９と平行に上方へ延設している。袖洗浄部１９ａに複数の第２のノズル２０を設け、衣類Ａの袖部ａの内側に洗濯水を噴射するようにしている。これにより、衣類Ａの身頃ｂの内側に加えて、袖部ａに対しても内側から洗濯水を噴射することができ、汚れの多い袖部ａの洗浄効果を高めることができる。
【００４８】
また、衣類Ａを掛けた状態で支持するハンガー９に装着部９ａを設け、衣類内洗浄ポール１９の上部に固着または脱着可能に設けている。これにより、洗濯対象である衣類Ａの身頃ｂと袖部ａを所定の位置に容易にセットすることができ、使い勝手をよくすることができる。
【００４９】
（実施の形態３）
図６は、本発明の第３の実施の形態における洗濯機の要部断面図である。本実施の形態の特徴は、衣類Ａを掛けるハンガーをポール一体型ハンガー２３としたものである。他の構成は実施の形態１と同じであり、同一の構成に同一の符号を付して、詳細な説明は実施の形態１のものを援用する。
【００５０】
図６において、ポール一体型ハンガー２３は、衣類収容部１ａ内の前後方向の略中央部で、左右の壁面間に渡って設けられている。ポール一体型ハンガー２３は、ポールにハンガーが３つ一体化されている形状となっており、ハンガーだけ取り外すことはできない。
【００５１】
ポール一体型ハンガー２３は、複数の第２のノズル２０が設けられている。ポール部２３ａおよびハンガー部２３ｂはともに中空になっており、内側に洗濯水経路２４が形成されており、ポンプ１２と連通接続されている。
【００５２】
以上のように構成された洗濯機について、以下その動作、作用を説明する。基本的な動作は、実施の形態１と同様であるので実施の形態１のものを援用する。ポール一体型ハンガー２３に設けられた第２のノズル２０より、衣類Ａの内側から洗濯水を噴射することで、衣類Ａの襟や肩口などに容易に洗濯水を噴射することが可能になる。
【００５３】
また、ポール一体型ハンガー２３は、衣類Ａの最上部にあるため、第２のノズル２０から噴射された洗濯水が直接衣類Ａに当たらなかった場合でも、落下していく間に衣類Ａのどこかに接触する可能性が高くなり、洗剤の衣類への付着率が上がる。
【００５４】
以上のように、ポール一体型ハンガー２３に設けた第２のノズル２０から、衣類Ａの内側に洗濯水を噴射することで、衣類Ａの肩口や襟など洗濯水が届きにくい場所にも容易に洗濯水を付着させることができる。また、ポール一体型ハンガー２３は、衣類Ａの上部にあるので、洗濯水は重力にしたがって上から下に移動し、衣類Ａに対して洗剤が付着する確率を高めることができるので、衣類Ａに満遍なく効率よく洗濯水を付着させることができ、高い洗浄力を実現することが可能となる。
【００５５】
図７は、本実施の形態の他の例を示したもので、ポール一体型ハンガー２５は襟から肩口に加えて、袖部ａと身頃ｂの下部にまで延長した形状としたものであり、第２のノズル２０はそれらの部分にも全体に亘って設けられている。これにより、洗濯水は汚れやすい袖部ａや衣類Ａのその他の部分にまで行き届き易くなり、満遍なく衣類Ａに洗濯水を噴射し付着させることができるので、洗浄力を向上させることができる。
【００５６】
（実施の形態４）
図８は、本発明の第４の実施の形態における洗濯機のハンガーの要部断面図、図９は、同ハンガーの外観図、図１０（ａ）（ｂ）は、同ハンガーの一部切欠要部断面図である。本実施の形態の特徴は、衣類を掛けるハンガー２６に、衣類Ａを支持する型枠２７と、洗濯水を噴射する複数の第２のノズル２０と、第２のノズル２０に洗濯水を供給するハンガー経路２８を設けたものである。他の構成は実施の形態１と同じであり、同一の構成に同一の符号を付して、詳細な説明は実施の形態１のものを援用する。
【００５７】
ハンガー２６に掛けた衣類Ａを支える型枠２７は、針金状の細い金属製の骨組みで形成されている。ハンガー２６は、ハンガーポール８の決まった数箇所に着脱自在に設置可能に構成されている。
【００５８】
図１０は、ハンガー２６の引っ掛け部とハンガーポール８の断面図を示しており、（ａ）は、ハンガー２６をハンガーポール８にセットした状態であり、（ｂ）は、ハンガー２６をハンガーポール８から外した状態を示している。
【００５９】
ハンガーポール８のハンガー２６をセットする部分に丸穴８ａが開けられており、この丸穴８ａの内側にパッキン２９が設けられている。パッキン２９は、ハンガーポール８の丸穴８ａを閉じる方向へ、内方から押し付けられるようにバネ（図示せず）によって付勢されている。
【００６０】
以上のように構成された洗濯機について、以下その動作、作用を説明する。基本的な動作は、実施の形態１と同様であるので実施の形態１のものを援用する。本実施の形態は、第２のノズル２０は衣類Ａから一定の距離を置いて設けられている。その結果、１つの第２のノズル２０から噴射した洗濯水は、より広範囲の衣類Ａの部分に接触させることができるようになる。
【００６１】
型枠２７は、衣類Ａを比較的張った状態で支持する。そのため、洗濯水が衣類Ａに当たっても、洗濯水の勢いで衣類Ａがゆらゆらたなびくように移動することが少なく、洗濯水の噴射の勢いを弱めずに洗濯水を衣類Ａに接触させることができる。
【００６２】
また、ハンガー２６がハンガーポール８にセットされたときは、パッキン２９はハンガー２６に設けた突起２６ａによって押圧され、図９（ａ）のように、付勢力に抗してハンガーポール８の内側に入り込み、ハンガーポール８内の洗濯水がハンガー２６内のハンガー経路２８に流れ込む。ハンガー２６がハンガーポール８から外されると、パッキン２９が丸穴８ａを閉じ、ハンガーポール８内を流れてきた洗濯水が外に流出することはない。
【００６３】
以上のように、ハンガー２６に型枠２７とハンガー経路２８を設けたことにより、１つの第２のノズル２０から衣類Ａのより大部分に洗濯水を噴射することが可能となり、効率よく洗浄することが可能となる。また、ハンガー２６をハンガーポール８にセットした場合に、ハンガー経路２８を洗濯水経路１８に連通接続可能に構成されていることにより、衣類Ａをハンガー２６にかける際の手間が少ないと同時に、ハンガー２６から洗濯水が噴射されることで洗浄力を向上させることが可能となる。
【００６４】
なお、型枠２７は、細い金属製の針金状のほか、太い棒状のものでもよく、また、樹脂やセラミックス等の素材で形成してもよい。また、型枠の形状は、衣類の形態を保持するために、肩パッドのような支持部材があってもよく、メッシュ素材で構成したハンガーのようなものでもよい。
【００６５】
なお、上記すべての実施の形態において、本体１は必ずしも箱型でなくても、円筒形や尖塔形状など他の形でも、衣類をハンガーにより支持した状態で収容することができればよい。
【００６６】
なお、上記すべての実施の形態において、機械扉６は扉２と一体化されていてもよい。
【００６７】
なお、上記すべての実施の形態において、送風用のファンを設けて、衣類を乾燥させる機能が付加されてもよい。
【００６８】
なお、上記すべての実施の形態において、扉２は片開きの扉であるが、両開きの扉や、シャッターなど他の扉でもよく、本体１内からの水漏れが防止できればよい。
【００６９】
なお、上記すべての実施の形態において、ハンガーの数は３つに限定されるものではなく、それ以上でも以下でもよい。
【産業上の利用可能性】
【００７０】
以上のように、本発明にかかる洗濯機は、衣類の内側と外側の汚れを洗浄することができ、衣類全体の洗浄性能を向上させることができるので、洗濯機として有用である。
【符号の説明】
【００７１】
１    本体
１ａ  衣類収容部
９    ハンガー
１０  第１のノズル（ノズル）
１２  ポンプ
１７  制御装置
１８  洗濯水経路
２０  第２のノズル（ノズル）
２１  洗濯水経路
【図１】
2014054404.tif 000003
【図２】
2014054404.tif 000004
【図３】
2014054404.tif 000005
【図４】
2014054404.tif 000006
【図５】
2014054404.tif 000007
【図６】
2014054404.tif 000008
【図７】
2014054404.tif 000009
【図８】
2014054404.tif 000010
【図９】
2014054404.tif 000011
【図１０】
2014054404.tif 000012
【図１１】
2014054404.tif 000013